(57)【要約】【課題】従来の合流式下水道の分水人孔では、流入する浮遊性の夾雑物が雨天時に遮集管へ流入せず公共用水域へ流出し、公共用水域の水質汚濁の原因のひとつとなっている。【解決手段】本発明の排水装置用渦流式水面制御装置においては、合流式下水道の下水道雨水吐き室における流入管と遮集管の間にその高さを少なくとも上記流入管と放流管間に介挿した分水堰の高さより高くした縦型の制御板を設置する。また、上記流入管と分水堰間にその高さを少なくとも上記分水堰の高さより高くしたガイドウォールを設置する。【選択図】  図１
2004238833.tif 000002
【特許請求の範囲】
【請求項１】
合流式下水道の下水道雨水吐き室における流入管と遮集管の間に設置したその高さを少なくとも上記流入管と放流管間に介挿した分水堰の高さより高くした縦型の制御板を有することを特徴とする排水装置用渦流式水面制御装置。
【請求項２】
更に、上記流入管と分水堰間に設置したその高さを少なくとも上記分水堰の高さより高くしたガイドウォールを有することを特徴とする請求項１記載の排水装置用渦流式水面制御装置。
【発明の詳細な説明】
【０００１】
【発明の属する技術分野】
本発明は排水装置用渦流式水面制御装置、特に、雨水と汚水を合流して排水処理するための排水装置において汚水と雨水を分水する雨水吐き室（分水人孔）内の水面を制御する制御装置に関するものである。
【０００２】
【従来の技術】
図５Ａ及び図５Ｂは夫々従来の合流式下水道分水人孔の平面図、図６Ａ及び図６Ｂは図５Ａの合流式下水道の分水人孔の晴天時の状態を示し、１は分水堰、２は流入管、３は遮集管、４は放流管、５は流入する浮遊性の夾雑物である。図７Ａ，図７Ｂ，図８Ａ及び図８Ｂは雨天時の状態である。
【０００３】
従来の分水人孔においては、晴天時は図６Ａ，図６Ｂのように流入管２から夾雑物５を含んだ汚水が遮集管３へ全量流れ込み、下水処理場、ポンプ場へ流入する。また、雨天時は図７Ａ，図７Ｂのように汚水と共に雨水も分水人孔内へ流入し、一定量以上の水量となると図８Ａ，図８Ｂに示すように流入管２と放流管４間に介挿した分水堰１を越流し、夾雑物を含んだ汚水の一部も放流管４を通じて公共用水域へと流出する。
【０００４】
【発明が解決しようとする課題】
上記のように、従来の分水人孔では、流入する浮遊性の夾雑物５が雨天時に遮集管３へ流入せず放流管４を介して公共用水域へ流出し、公共用水域の水質汚濁の原因の１つとなっている。この要因の１つには、従来の分水人孔における雨天時の水理特性が挙げられる。従来の分水人孔では図６Ａ，図６Ｂのように晴天時は流入管２から遮集管３に向かって水面勾配が形成されるため、浮遊性夾雑物５は流れに乗って遮集管３へ全量流れ込む。しかし、雨天時においては図７Ａ，図７Ｂのように遮集管３が水没し、遮集管３入口付近の水面が盛り上がるようになり、晴天時のように流入管２から遮集管３へ向かう水面勾配が形成されない。この状態においては浮遊性夾雑物５は遮集管３へ流入せず、分水人孔内に滞留する。さらに分水人孔への流入水量が増加し分水人孔内水深が分水堰１の高さを上回るようになると、図８Ａ，図８Ｂのように分水堰１を越流することで、流入管２から放流管４へ向かう水面勾配が形成される。この時浮遊性夾雑物５は流れに乗って放流管４を通じて公共用水域へほぼ全量流出する。
【０００５】
このような課題を解決するための手段としては、浮遊性の夾雑物５が遮集管３へ流入し易い流れを分水人孔内で発生させる必要があり、従来の分水人孔を改良し、浮遊性夾雑物の公共用水域への流出削減を行う必要がある。
【０００６】
【課題を解決するための手段】
本発明の排水装置用渦流式水面制御装置は、合流式下水道の下水道雨水吐き室における流入管と遮集管の間に設置したその高さを少なくとも上記流入管と放流管間に介挿した分水堰の高さより高くした縦型の制御板を有することを特徴とする。
【０００７】
また、本発明の排水装置用渦流式水面制御装置は、更に、上記流入管と分水堰間に設置したその高さを少なくとも上記分水堰の高さより高くしたガイドウォールを有することを特徴とする。
【０００８】
【発明の実施の形態】
以下図面によって本発明の実施例を説明する。
【０００９】
本発明においては図１及び図２に示すように遮集管３と流入管２間に両者間を遮る向きで縦型制御板６を介挿する。この縦型制御板６の下端は遮集管３の上面よりも高くして晴天時の汚水の流下を阻害しないようにするのが好ましいが、遮集管３の上面より低くしても良い。上記縦型制御板６の上端は上記分水堰１及び流入管２の上面よりも高くするのが好ましいが、流入管の上面より低くしても良い。
【００１０】
本発明の排水装置用渦流式水面制御装置は、上記のような構成であるから図１，図２に示すように雨天時には縦型制御板６と分水堰１の間を流入管２から遮集管３に向って通過した流れによって縦型制御板６の背面に渦流が形成され、浮遊性の夾雑物５はその流れに乗って遮集管３へほぼ全量流入する。さらに分水人孔への流入水量が増加し、分水人孔内水深が分水堰１の高さを上回るようになると、遮集管３へ向かう渦流が形成されるとともに、図１，図２のように分水堰１を越流することによる流入管２から放流管４へ向かう水面勾配が形成される。
【００１１】
然しながら、水量が多くなると放流管４へ向かう表面流の勢力が上回り、浮遊性の夾雑物５は大半が流れに乗って分水堰１を越えて放流管４へ流出し、一部のみが遮集管３へ流入することとなるため遮集効果を十分ではない場合を生ずる。
【００１２】
従って、本発明の他の実施例においては図３及び図４に示すように分水人孔の天端からやや下方に下端を配置し、上端が上記流入管２の上面よりも高いガイドウォール７を分水堰１と分水堰１間にその面が上記分水堰１の面と略平行となるように設置する。
【００１３】
この実施例によれば、雨天時において分水人孔内の水深が分水堰１の高さを上回るような場合においては、図３，図４に示すようにガイドウォール７付近で水面が盛り上がるようになり、流入管２から分水堰１へ向かう水面勾配が形成されないようになる。前述の実施例のように縦型制御板６の背面に渦流が形成されるため、浮遊性夾雑物５の大半がその流れに乗って遮集管３へ流入するため遮集効率がより高くなる。
【００１４】
なお、本発明は図５Ｂその他に示すような従来の他の合流式下水道雨水吐き室（分水人孔）に対しても同様に適用できる。
【００１５】
【発明の効果】
上記のように本発明の排水装置用渦流式水面制御装置によれば、浮遊性の夾雑物５が遮集管３内に流入し易い渦流が発生され、浮遊性夾雑物５の公共用水域への流出削減を行うことができるようになる大きな利益がある。
【図面の簡単な説明】
【図１】本発明の排水装置用渦流式水面制御装置を用いた合流式下水道分水人孔の雨天時の縦断正面図である。
【図２】本発明の排水装置用渦流式水面制御装置を用いた合流式下水道分水人孔の雨天時の縦断左側面図である。
【図３】本発明の他の実施例における排水装置用渦流式水面制御装置を用いた合流式下水道分水人孔の雨天時の縦断正面図である。
【図４】図３に示す排水装置用渦流式水面制御装置を用いた合流式下水道分水人孔の雨天時の縦断左側面図である。
【図５Ａ】従来の合流式下水道分水人孔の平面図である。
【図５Ｂ】従来の他の合流式下水道分水人孔の平面図である。
【図６Ａ】図５Ａに示す従来の合流式下水道分水人孔の晴天時の縦断正面図である。
【図６Ｂ】図５Ａに示す従来の合流式下水道分水人孔の晴天時の縦断右側面図である。
【図７Ａ】図５Ａに示す従来の合流式下水道分水人孔の雨天時の縦断正面図である。
【図７Ｂ】図５Ａに示す従来の合流式下水道分水人孔の雨天時の縦断右側面図である。
【図８Ａ】水量が更に増大した場合の従来の合流式下水道分水人孔の雨天時の縦断正面図である。
【図８Ｂ】水量が更に増大した場合の従来の合流式下水道分水人孔の雨天時の縦断右側面図である。
【符号の説明】
１  分水堰
２  流入管
３  遮集管
４  放流管
５  夾雑物
６  縦型制御板
７  ガイドウォール
【図１】
2004238833.tif 000003
【図２】
2004238833.tif 000004
【図３】
2004238833.tif 000005
【図４】
2004238833.tif 000006
【図５Ａ】
2004238833.tif 000007
【図５Ｂ】
2004238833.tif 000008
【図６Ａ】
2004238833.tif 000009
【図６Ｂ】
2004238833.tif 000010
【図７Ａ】
2004238833.tif 000011
【図７Ｂ】
2004238833.tif 000012
【図８Ａ】
2004238833.tif 000013
【図８Ｂ】
2004238833.tif 000014